(57)【要約】【課題】遠赤外線効果など身体に良い効能を発揮する機能性物質の粉末を添加処理した入浴衣を着用したまま入浴するようにして、入浴剤のような面倒な手間や無駄をなくすと共にサウナ風呂のように湯に浸からずに入浴する場合にも使用できる利用範囲の広い入浴衣と入浴方法を提供する。【解決手段】入浴衣Ｂ１は、遠赤外線等を発生する機能性物質の粉末又は酸化チタンを添加処理してなり、例えば略長方形状をなし着用できる大きさを有するシート１からなり、そのほぼ中央に頭ｍを挿通する透孔２を開設し、前記シート１の長手方向の少なくとも一端縁１ａにその両外側寄りに位置して該端縁１ａで開放されかつ長手方向に沿って延びる所定長さの切り込み５，５を設け、前記各切り込み５の外側に胴の周囲に巻き付けて結ぶ帯び片部６，６を設けた構成からなる。【選択図】図２
2006322094.tif 000002
【特許請求の範囲】
【請求項１】
遠赤外線を発生する鉱石等の遠赤外線発生物質粉末を添加処理してなり、着用したまま入浴することを特徴とする入浴衣。
【請求項２】
マイナスイオンを発生する鉱石粉末、ラドンを発生する鉱石粉末、酸化チタン粉末、ヤシ殻活性炭の粉末のうちの少なくともいずれか一つを添加処理してなる請求項１記載の入浴衣。
【請求項３】
略長方形状をなし着用できる大きさを有するシートからなり、そのほぼ中央に頭を挿通する透孔を開設すると共に該透孔と前記シートの短手方向の一端縁との間に両端が開放しかつ両側縁が係脱自在な連結手段により連結される切離し部を設け、前記シートの長手方向の少なくとも一端縁にその両外側寄りに位置して該端縁で開放されかつ前記長手方向に沿って延びる所定長さの切り込みを設け、前記各切り込みの外側に胴の周囲に巻き付けて結ぶ帯び片部が一体に設けられるようにした請求項１又は２記載の入浴衣。
【請求項４】
略長方形状をなし着用できる大きさを有しほぼ中央に頭を挿通する透孔を開設すると共に該透孔と短手方向の一端縁との間に両端が開放しかつ両側縁が係脱自在な連結手段により連結される切離し部を設けたシートと、胴の周囲に巻き付けて前記シートを胴に固定するために結ぶ帯び片と、からなる請求項１又は２記載の入浴衣。
【請求項５】
略方形状をなし着用できる大きさを有するシートからなり、前記シートを身体に巻いた状態でその上縁部の互いに重なる対向面に位置するようにしてそれぞれ係脱自在な連結手段を設けた請求項１又は２記載の入浴衣。
【請求項６】
首の周囲を覆う首覆い部と該首覆い部と連続して成形され肩の周囲を覆う肩覆い部とからなり、前面に上下両端が開放しかつ両側縁が係脱自在な連結手段により連結される切離し部を設けた請求項１又は２記載の入浴衣。
【請求項７】
請求項１乃至６記載の入浴衣のうちの少なくともいずれか一つを着用したまま温湯風呂、サウナ風呂、温石浴風呂等の入浴風呂に入り、前記入浴風呂内の熱により前記入浴衣を温めて身体に遠赤外線を受けられるようにしたことを特徴とする入浴方法。
【発明の詳細な説明】
【技術分野】
【０００１】
本発明は、遠赤外線効果など身体に良い効能を発揮する鉱石等の機能性物質粉末を添加処理した入浴衣と、該入浴衣を着用したまま入浴風呂に入るようにした入浴方法に関するものである。
【背景技術】
【０００２】
通常、入浴風呂の一つである一般家庭の温湯風呂に入るときは、何もまとわず裸のまま湯に入っているが、例えば、寒い冬期であって入浴時間が多く取れないときなど、熱い湯に入っても、身体の表面ばかり熱くなり身体の芯まで温まり難く、十分に身体が温まらない状態で浴槽から出てしまうことが多い。そこで、身体が温まり易くするものとして例えば温熱効果が高められる入浴剤がある（例えば、特許文献１参照。）。
【特許文献１】特開２００４−２６９３８３号公報（第３−５頁、図１）
【発明の開示】
【発明が解決しようとする課題】
【０００３】
しかしながら、前記特許文献１の温熱効果を有する入浴剤は、一般に粉末状に成形され袋詰されている。そして、入浴する前に入浴剤の封を切って該入浴剤を浴槽の湯に入れることになるが、通常、その入浴剤が湯に均等に混ざるように十分に湯をかき混ぜねばならないので、面倒である。また、浴槽内の湯が減った場合に新しい湯を注ぎ足すと、前記湯の中の入浴剤が薄まり前記効果も下がってしまう。このため、新たな入浴剤の封を切り追加することになるが、全部では多すぎることから適量の入浴剤を入れ、残った分量は袋に入れ適当な場所にそのまま放置しておく傾向にある。
【０００４】
このように一旦封を開けると、入浴剤は湿って固まったり変質し易く、次に使用するときは既に使えない状態となり最終的に廃棄することが多い。また、前記入浴剤の入った湯は使用後廃棄される。このように、非常に無駄が多く不経済であるという課題がある。更に、この種入浴剤は、一般家庭の温湯風呂の湯の中に入れるものであって、例えば、サウナ風呂といった室内に裸のまま座ったり横臥して入浴を楽しむ場合には使用できないという課題もある。
【０００５】
そこで、本発明は上記課題を解決すべくなされたもので、遠赤外線効果など身体に良い効能を発揮する機能性物質粉末を添加処理した入浴衣を着たまま入浴するようにして、入浴剤のような面倒な手間や無駄をなくすと共にサウナ風呂のように湯に浸からずに入浴できる場合も使用できる利用範囲の広い入浴衣と入浴方法を提供することを目的とするものである。
【課題を解決するための手段】
【０００６】
かかる目的を達成するため本発明に係る入浴衣は、遠赤外線を発生する鉱石等の遠赤外線発生物質粉末を添加処理してなり、着用したまま入浴することを特徴とする。この際、マイナスイオンを発生する鉱石粉末、ラドンを発生する鉱石粉末、酸化チタン粉末またはヤシ殻活性炭の粉末の内の少なくとも一つを添加処理することが好ましい。また、天然に産する温泉成分の結晶である湯の花粉末といった無機塩類系、炭酸ガス系、薬用植物系、酵素系の入浴剤を添加して、肌をしっとりさせたり温泉湯の香りや色を楽しむようにしても良い。
【０００７】
前記入浴衣には、例えば略長方形状をなし着用できる大きさを有するシートからなり、そのほぼ中央に頭を挿通する透孔を開設すると共に該透孔と前記シートの短手方向の一端縁との間に両端が開放しかつ両側縁が係脱自在な連結手段により連結される切離し部を設ける。また、前記シートの長手方向の少なくとも一端縁にその両外側寄りに位置して該端縁で開放されかつ前記長手方向に沿って延びる所定長さの切り込みを設け、前記各切り込みの外側に胴の周囲に巻き付けて結ぶ帯び片部が一体に設けられるようにした構成が採られる。
【０００８】
他に、略長方形状をなし着用できる大きさを有しほぼ中央に頭を挿通する透孔を開設すると共に該透孔と短手方向の一端縁との間に両端が開放しかつ両側縁が係脱自在な連結手段により連結される切離し部を設けたシートと、胴の周囲に巻き付けて前記シートを胴に固定するために結ぶ帯び片と、からなる入浴衣がある。また、略方形状をなし着用できる大きさを有するシートからなり、前記シートを身体に巻いた状態でその上縁部の互いに重なる対向面に位置するようにしてそれぞれ係脱自在な連結手段を設けた入浴衣がある。更に、首の周囲を覆う首覆い部と該首覆い部と連続して成形され肩の周囲を覆う肩覆い部とからなり、前面に上下両端が開放しかつ両側縁が係脱自在な連結手段により連結される切離し部を設けた入浴衣がある。前記各入浴衣はそれ一つでも良いが、他の入浴衣と組合わせて使用するようにしても良い。前記連結手段としては、例えば雌・雄型貼り合せファスナー、結ぶことができる一対の紐またはゴム紐、環状紐と該環状紐に係合するボタンがある。
【０００９】
そして、本発明に係る入浴方法は、前記いずれか一つの入浴衣を着用したまま温湯風呂、サウナ風呂、温石浴風呂等の入浴風呂に入り、前記入浴風呂内の熱により前記入浴衣を温めて身体に遠赤外線を受けられるようにしたことを特徴とする。通常、前記熱が４０度を越すと遠赤外線が多く発生する。
【００１０】
前記シートとしては、例えば、綿、麻、合成繊維等の各種繊維からなる織物または不織布、耐水性を有する紙、薄い軟質合成樹脂シートがある。
【００１１】
遠赤外線発生物質としては、例えばセリサイト鉱石、麦飯石、天照石、熱変成した火成岩・砂岩またはセラミックがある。マイナスイオンを発する鉱石にはトルマリン鉱石、医王石（天然鉱石であって「石英閃緑玲石」という。）がある。ラドンを発生する鉱石には天然ラジウム鉱石がある。また、これらとは別に、臭いを吸着する酸化チタン、ヤシ殻活性炭がある。前記セリサイト鉱石等の遠赤外線発生物質、各鉱石および酸化チタン、ヤシ殻活性炭はいずれも粉末状または微粉末状にして用いられる。
【００１２】
前記遠赤外線発生物質粉末やその他の鉱石粉末をシートに添加処理する方法としては、シートの少なくとも一側面に例えば噴霧により接着剤層を設けると共にその表面に例えば噴霧により前記遠赤外線発生物質等の粉末を均等に付着させて乾燥させる方法、また、それら遠赤外線発生物質等の粉末を混ぜた溶液中にシートを浸漬し取り出した後に乾燥させる方法、更に、前記遠赤外線発生物質等の粉末を混ぜた塗料をシートの少なくとも一側面に印刷して乾燥させる方法がある。合成繊維製のシートや薄い軟質合成樹脂シートにあっては、その中に前記遠赤外線発生物質等の粉末を含浸させる方法もある。
【００１３】
前記シートは、織物または不織布、紙、軟質合成樹脂といった異なる素材が使用可能であるので、前記遠赤外線発生物質等の添加処理方法は、従来の方法であって、しかも、製作の容易性及びそれら効果の優位性から判断して前記各素材に適した種々の添加処理方法が選択される。また、遠赤外線発生物質粉末にマイナスイオンを発生させる鉱石粉末、ラドンを発生させる鉱石粉末、酸化チタン粉末またはヤシ殻活性炭の粉末をそれぞれ適宜選択し組み合わせて使用できる。そして、それら特有の効果が得られることになる。
【００１４】
例えば、シートが織物または不織布である場合、その一側面に接着剤層を設け、該接着剤層面に遠赤外線を発生させる遠赤外線発生物質粉末、マイナスイオンを発生させる鉱石粉末、ヤシ殻活性炭の粉末を噴霧させ、これら同じものを接着層面が対向した状態で重ね合わせて前記遠赤外線発生物質等を添加処理する方法がある。また、シートが織物、不織布または紙の場合、前記遠赤外線発生物質等の粉末に水を加え撹拌混合した後にバインダーとしてのアクリル酸樹脂を加えて混合撹拌した溶液にシートを浸漬してこれを引き上げ乾燥させて前記遠赤外線発生物質等を添加処理する方法がある。
【００１５】
シートに酸化チタン粉末を添加するには、例えば、特許第２８７５９９３号に開示される発明によって製造された光触媒効果を有するアナターゼ分散液及びその製造過程で得られるペルオキソチタン酸溶液が用いられる。そして、その両溶液を、シートの素材によってそれぞれ単独または配合した溶液に漬けるか、またはシートの少なくとも一側面に噴霧する。その後、シートを劣化させない程度の５０〜３００℃程度までの温風または熱風にて７０〜９０％程度にまで乾燥させた後、常温程度の冷風または自然乾燥にて完全乾燥させる事により酸化チタンを付着させる。
【００１６】
更に、前記遠赤外線発生物質粉末やその他の鉱石粉末に、天然に産する温泉成分の結晶である湯の花粉末等の無機塩類系を初め炭酸ガス系、薬用植物系、酵素系の入浴剤の粉末を併せ添加処理するようにしても良い。この場合は、入浴中にそれら入浴剤の粉末が自然に融け出るが、ほとんど融け出てしまうまで何回も入浴衣が使用できる。また、入浴剤の粉末がなくなれば、吹き付けにより再度付着するようにしても良い。
【００１７】
本発明における入浴風呂とは、一般家庭の温湯風呂、公衆浴場、全国各地の温泉地の浴場や砂風呂、サウナ風呂、カプセル状の温石浴風呂（装置を含む。）を示し、これら入浴風呂のいずれにも本発明の入浴衣が広く利用できる。
【発明の効果】
【００１８】
本発明は、遠赤外線を発生する鉱石等の遠赤外線発生物質粉末を添加処理した入浴衣を着用してそのまま入浴風呂に入るようにしたので、身体表面全体が入浴衣を介し遠赤外線発生物質により覆われ、しかも、入浴風呂の熱により直に発生する遠赤外線を受けることとなり、短い時間であっても身体が芯から温まる。また、入浴衣を着るのみで済み、例えば温湯風呂のようにその湯の量に関係なく前記効能が得られ、入浴剤のように面倒な手間や無駄がなく使い勝手も良いという効果がある。特に、請求項６記載の入浴衣を併せ使用すれば、神経血管やつぼが集中し温度にも敏感な首と肩を覆うようにしているので、入浴することによりそこからの遠赤外線がよく当って首や肩の血行が良くなり十分に身体が温められるばかりか首や肩の筋肉もほぐされるという効果がある。
【００１９】
更に、前記入浴衣を洗濯して何度も使用できるようにすれば、効能が低下することも少なく経済的であり、湯に浸かる温湯風呂に限らず腰掛けて入浴できるサウナ風呂にも使用でき利用範囲が広いという効果もある。これらの場合、入浴衣を着用したまま入浴することから、若い女性であっても肌を露出せずに済み羞恥心が薄らぐこととなり、例えば混浴風呂にも安心して入浴可能となる。
【００２０】
前記鉱石粉末として、マイナスイオンを発生するトルマリン鉱石粉末または医王石粉末、ラドンを発生する天然ラジウム鉱石粉末を添加すれば、前者からは清涼な爽快感が得られ、後者からはラドンが発生して皮膚の細胞を刺激し体内活性が図られ、疲労が回復しリラクゼーションが得られるばかりか、がん抑制作用・老化防止・糖尿病の発生抑制作用が得られるホルミス効果も期待できる。更に、酸化チタン粉末を添加すれば、光を受けることにより消臭、殺菌、抗菌等の光触媒機能が発揮される。同様に、ヤシ殻活性炭の粉末を添加すれば、脱臭・消臭に効果がある。
【００２１】
また、入浴衣は、着用できる大きさを有する一枚のシートを打ち抜き又は裁断するのみでほとんど成形でき、成形が簡単であって製作コストも低廉になし得るという有益な効果がある。
【発明を実施するための最良の形態】
【００２２】
以下、本発明に係る入浴衣と入浴方法の実施の形態を図面に基づき詳細に説明する。本発明で入浴衣とは、裸の身体に着用してそのまま風呂の湯の中やサウナ風呂内に入って入浴できるものをいう。図１は、本発明に係る入浴衣の展開平面図、図２は同入浴者が着た状態の斜視図である。この入浴衣Ｂ１は、展開した状態で長方形状をなし着用できる大きさに成形された一枚のシ−ト１からなる。このシ−ト１は、綿製の織物からなり、その長手方向の幅ａは２〜３ｍの間で設定され、短手方向の幅ｂは０．８〜１ｍの間で設定される。このような寸法に設定されるのは、このシ−ト１により裸になった人の足を除いた前側と後側とを覆い隠すことができるようにするためである。このため、シート１は不透明な素材が選択される。
【００２３】
前記シ−ト１は、その長手方向のほぼ中央に頭を挿通する透孔２が開設される。また、該透孔２と前記シート１の短手方向の一端縁１ｂとの間に両端が開放する切離し部３が設けられる。この切離し部３は、そこから首を通して入浴衣Ｂ１の着脱を容易にするためであって、その両側縁が係脱自在な連結手段である二対の紐４，４により連結される。なお、必要なければ、切離し部３を省いても良い。更に、前記シート１の前記長手方向の両端縁１ａ，１ａにその両外側寄りに位置して該各端縁１ａ，１ａで開放されかつ長手方向に沿って延びる所定長さの切り込み５，５が設けられ、各切り込み５，５の外側に胴の周囲に巻き付けて結ぶ帯び片部６，６が設けられる。前記各切り込み５の奥端には、該切り込み５と連通する円形の小孔７が開設されている。これは、各帯び片部６を引っ張ったとき、その根元からシート１が裂けないようにするためである。前記小孔７の替わりにその奥端を縫い合わせるようにしても良い。この工程は、通常、打ち抜き作業になる。前記切り込み５，５は、各端縁１ａのいずれか一方のみに設けるようにしても良い。
【００２４】
この場合、前記シ−ト１には先に遠赤外線発生物質粉末やその他の鉱石粉末が添加処理される。すなわち、シート１として同じ形状の一対の綿製の織物を用意する。そして、各織物の一側面にバインダーとしての発泡樹脂接着剤層をコーティングすると共にその表面に例えば遠赤外線を発生するセリサイト鉱石粉末、マイナスイオンを発生させる医王石、脱臭機能を有するヤシ殻活性炭の粉末をそれぞれ均等に噴霧する。次に、これら一対の織物を発泡樹脂接着剤層面が対向した状態で重ね合わせて剥がれないように縫着する。これにより、入浴衣Ｂ１が完成する。前記セリサイト鉱石粉末を噴霧するとき、他に例えば、天然ラジウム鉱石粉末、ヤシ殻活性炭の替わりに酸化チタンを噴霧して付着するようにしても良い。
【００２５】
このようにして成形される入浴衣Ｂ１は、長手方向のほぼ中央で二つ折りし、下から透孔２に頭ｍを通してその上に出す。そして、身体の前側と後側にシート１の一方側と他方側をそれぞれ垂れ下げて覆う。このとき、身体の両横側は開放しているので、前側の両帯び片部６ａ，６ａを共に後側へ回して結び、同様にして後側の両帯び片部６ｂ，６ｂを前側へ回して結ぶ。これにより入浴衣Ｂ１が着られることになる。
【００２６】
図３は他の実施の形態に係る入浴衣を示す。この入浴衣Ｂ２は、長方形状をなし着用できる大きさを有すると共にほぼ中央に頭を挿通する透孔２が開設されたシート１−１と、胴の周囲に巻き付け前記シート１−１を胴に固定するために結ぶ帯び片８と、からなる。前記と同様に、その長手方向の幅ａは２〜３ｍの間で設定され、短手方向の幅ｂは０．８〜１ｍの間で設定される。この場合も、前記と同様に該透孔２と前記シート１−１の短手方向の一端縁１−１ｂとの間に両端が開放する切離し部３が設けられ、その両側縁が係脱自在な連結手段である二対の紐４，４により連結される。
【００２７】
図４も他の実施の形態に係る入浴衣を示す。この入浴衣Ｂ３は、身体に巻いて胸から下方を覆うようにしたものであって、長方形状をなし着用できる大きさを有し、例えばそのシート１−２の長手方向の幅ａは１．８ｍに設定され、短手方向の幅ｂは１ｍに設定される。また、身体に巻いた状態でその上縁部の互いに重なる対向面に位置するようにしてそれぞれ係脱自在に係合する連結手段としての雌・雄型貼り合せファスナー４ａ，４ｂが設けられる。
【００２８】
図５乃至図６も他の実施の形態に係る入浴衣を示す。この入浴衣Ｂ４は、首Ｎの周囲をすっぽりと覆う首覆い部９ａと該首覆い部９ａと連続して成形され肩Ｋの周囲を覆う肩覆い部９ｂとからなり、上端面と下端面とが開放されている。また、入浴衣Ｂ４の前面には、上下両端が開放する切離し部３ａが設けられ、該切離し部３ａの両側縁は係脱自在な連結手段である雌・雄型貼り合せファスナー４ａ，４ｂにより連結される。そして、雌・雄貼り合せファスナー４ａ，４ｂを外しておいて、後側から首Ｎと肩Ｋに掛けてまとい、前側で雌・雄貼り合せファスナー４ａ，４ｂを係合するのみで入浴衣Ｂ４が着られる。このように、首Ｎと肩Ｋを覆うようにしたのは、一般に首Ｎと肩Ｋは神経血管や多くのつぼが集中しており、しかも、温度に敏感であってこれら首Ｎや肩Ｋを温めると風邪や肩こりが早く治るといわれ、首Ｎや肩Ｋを温めることによって血行が良くなり身体が温かくなるばかりか筋肉もほぐれるからである。この入浴衣Ｂ４は、単独で使用しても良いが、前記他の入浴衣Ｂ１〜Ｂ３と併用すると効果的である。
【００２９】
前記各シート１−１，１−２や入浴衣Ｂ４も綿製の織物により成形され同様に遠赤外線発生物質粉末やその他の鉱石粉末をシートに添加処理して成形される。また、他の素材として不織布または耐水性を有する紙、薄い軟質合成樹脂シートであっても良い。これら他の実施の形態に係る入浴衣Ｂ２乃至４であっても本発明の目的は十分に達成される。
【００３０】
次に、前記初めの入浴衣Ｂ１を着用して入浴風呂に入ることになるが、本実施の形態では入浴風呂としてカプセル状の温石浴装置Ａを利用した場合を説明する。図７乃至図１０に示すように、この温石浴装置Ａは、上面が開放する箱枠状の基台１０からなる。この基台１０は、平面長方形状をなすと共に高さが低く成形され、該基台１０内に一人の大人が仰臥できる程度の広さの敷石層１１が成形される。該敷石層１１は、基台１０の長手方向に沿って方形状の石板１２を複数枚（例えば６枚）水平に並置してなり、その上面は基台１０の上面とほぼ面一となるようにしてある。各石板１２には、一側に切欠き１２ａが設けられている。これは、それら切欠き１２ａに指を差し込めるようにして各石板１２の敷設・取外し作業をし易くするためと、後記するように各石板１２上面に残る水や汗を下方へ落すためである。
【００３１】
前記石板１２としては、例えば麦飯石、トルマリン鉱石、天然ラジウム鉱石、セリサイト鉱石または熱変成した火成岩・砂岩であって、これらの粉状物をセラミックである粘土に約３０％重量部混ぜて焼成したものが選択される。なお、このような焼成物とすることなく前記麦飯石、トルマリン鉱石、天然ラジウム鉱石、火成岩・砂岩、これら鉱石の粉末を混合したセラミックスをそのまま一枚の石板として使用しても良い。
【００３２】
また、図示は省略するが、前記敷石層１１をほぼ親指大の砂利を敷き詰めて成形するようにしても良い。この場合、砂利は麦飯石、トルマリン鉱石、天然ラジウム鉱石、火成岩・砂岩のうち一種又は２種以上の鉱石を適宜混ぜて使用する。
【００３３】
前記敷石層１１の下側にモルタル又はコンクリートから成形され、その内部に密閉型の放熱管１３が張り巡らされる加熱層１４が敷設される。放熱管１３は、無端状に成形されると共に基台１０から外側へ引き出される部分が該基台１０の一側に付設される加熱器１５に挿通される。放熱管１３内には例えば液体としてアルコールが充填され、加熱器１５内のヒータ（図示せず。）で加熱されたアルコールがポンプ（図示せず。）により放熱管１３内を循環するようになっている。
【００３４】
また、加熱層１４は前記敷石層１１より一回り大きく成形され、該加熱層１４の上面であって敷石層１１から食み出る部位に、一対の蒸発皿樋１６，１６が配設される。更に詳しく説明すると、各蒸発皿樋１６はステンレス製であって上面が開放され、水を１〜２ｃｍほど貯留できる深さを有する。また、該各蒸発皿樋１６は、基台１０の短手方向の両側に沿って平行に敷設される。そして、基台１０の前記長手方向の一端側に配置される後記する貯留タンク２８から各蒸発皿樋１６内に適量の水が供給されるようになっている。なお、前記蒸発皿樋１６をステンレス製としたが、これは熱の伝導性が良いからであって、他に例えば前記各種鉱石から成形するようにしても良い。
【００３５】
前記加熱層１４の下側に、例えば発泡ウレタンからなる断熱材１７が敷設される。また、該断熱材１７の下側に、該断熱材１７全体を受けるようにして皿状の集水枡１８が配置される。集水枡１８の内底面には複数の支持突起１９が規則正しく並んで突設され、その上面に前記断熱材１７が載置される。前記加熱層１４と断熱材１７とには、各石板１２の切欠き１２ａと対応位置してそれぞれ上下方向に一直線状に並ぶ貫通孔２０ａ，２０ｂが開設される。これにより、敷石層１１の上面に落ちた水や汗を、前記下方の集水枡１８に集めるようにしている。前記集水枡１８一側の下側に、基台１０の一側面から自在に外側へ引き出せる受皿２１が配置される。このため、前記集水枡１８の底面に受皿２１に対応して水抜き孔２２が開設される。
【００３６】
一方、前記覆いカバーＡ２は、合成樹脂製であって半透明に成形され、上面が蒲鉾状に湾曲した下カバー部材２３ａと、この下カバー部材２３ａの上面に重なり得る上カバー部材２３ｂとからなる。これら上・下カバー部材２３ａ，２３ｂは、それぞれ基台１０上面の短手方向の両端側に沿って設けられた２条のレール溝２４，２４に嵌り、それらレール溝２４，２４に沿って摺動できるようになっている。
【００３７】
下カバー部材２３ａは、その軸線方向の一端面が開放されると共に他端面が閉塞しており、上カバー部材２３ｂは、その軸線方向の両端面が共に開放されている。この上カバー部材２３ｂの一端面である開放面には、該開放面を塞ぐように半円形状の被せ布地２５が取着される。その中央下端部には、仰臥した入浴者Ｍが顔を外に出すための切欠凹部２６が凹設されている。また、上カバー部材２３ｂにおける被せ布地２５と同じ側の周縁に、該上カバー部材２３ｂを摺動動作させるための取っ手２７が設けられる。
【００３８】
基台１０上面の長手方向の一側に水を貯留できる貯留タンク２８が設置される。この貯留タンク２８は、ガラス製であって側面形状が前記上カバー部材２３ｂをその中心軸線と直交する面内で切断した断面形状とほぼ同じ形状に成形されている。また、貯留タンク２８の上面中央に水を貯留するための注水口２９が設けられ、下面中央に貯留される水を所望の量ずつ排出できる水取出口３０が設けられる。貯留タンク２８の材質としては他にポリカーボネート、ステンレス、アルミニウムがある。
【００３９】
図示は省略するが、前記水取出口３０は、例えば通孔を有すると共にこの通孔の内周面に雌螺子を刻設し、該通孔にパッキンを先端に取着した雄螺子を螺合する構成が採られる。そして、常時は雄螺子を締めてパッキンにより通孔を閉じ、必要な時に雄螺子を緩め所望量の水を継続して排出できるようになっている。この水取出口３０には、その下端に二股状の送水管３１，３１が接続され、各送水管３１の先端が前記各蒸発皿樋１６の上面に臨むようになっている。また、各蒸発皿樋１６は、その底面が前記貯留タンク２８側から離れるにつれ漸次僅かに低くなっており、その流下端の底面に排出口３２が開設される。これら排出口３２にはそれぞれ排水管３３が接続され、各排水管３３の下端出口が前記集水枡１８の上面に臨んでいる。
【００４０】
そこで、基台１０の上面に、他端面の閉塞面が前記貯留タンク２８と反対側に位置するようにして前記下カバー部材２３ａを設置する。更に、基台１０の上面に、被せ布地２５が貯留タンク２８と向き合うようにしかつその下カバー部材２３ａの上面に被さるようにして上カバー部材１３ｂを設置する。下カバー部材２３ａと上カバー部材２３ｂとは、常に少なくとも一部が上下に重なるようになっている。これにより、上カバー部材２３ｂを貯留タンク２８側へ摺動させ、その被せ布地２５側の開放面を貯留タンク２８の一側面に当接させることにより覆いカバーＡ２内、すなわち温石浴装置本体Ａ１内、が密閉されることになる。
【００４１】
前記上・下カバー部材２３ａ，２３ｂの内面はいずれも鏡面処理を施すことが好ましく、このようにすれば、遠赤外線を反射させてその遠赤外線効果を向上させることができる。また、下カバー部材２３ａ内側の奥端部上方に、密閉される覆いカバーＡ２内の空気や水を殺菌する殺菌灯、光触媒装置等の殺菌装置を備えることが好ましい。
【００４２】
図示は省略するが、前記加熱器１５には制御装置も一体に設けられている。また、基台１０の適宜位置に制御装置に接続される温度センサーが配置されている。そして、前記制御装置により、例えば放熱管１３内のアルコールの温度が約６０度に設定され、入浴している時の温石浴装置本体Ａ１内の雰囲気の温度は４０〜４２度になるように設定される。更に、前記雰囲気内の湿度は７０〜８０％の間で設定される。
【００４３】
温石浴装置Ａは上記構成からなり、まず、制御装置をオン動作させ、ポンプを作動すると共にヒータにより放熱管１３を約６０度に加熱する。夏期と冬期とで室温に差があるときは、放熱管１３内のアルコールの温度を適宜調整する。そして、温石浴装置本体Ａ１内の雰囲気の温度を４０度〜４２度の間で所望の温度に設定する。貯留タンク２８下部の水取出口３０の雄螺子を緩めて適量の水を各蒸発皿樋１６に供給する。その水の供給量は、例えば流下端の排水口３２に到達するまでにすべて水が蒸発してしまう程度である。これにより、温石浴装置本体Ａ１内が、温度４０〜４２度、湿度７０〜８０％の雰囲気になる。
【００４４】
そこで、入浴者Ｍは裸のまま前記入浴衣Ｂ１を着て、図９に示すように温石浴装置本体Ａ１内に入り敷石層１１の上面に仰臥する。そして、上カバー部材２３ｂを摺動させ被せ布地２５の切欠凹部２６から頭ｍを外へ出す。また、頭ｍまですべて覆いカバーＡ２内に入れたいときは、上カバー部材２３ｂの被せ布地２５側の開放面を貯留タンク２８の一側面に当接するようにする。いずれの場合も、敷石層１１の上面にタオルを敷くようにしても良く、また、枕をかうようにしても良い。
【００４５】
この状態で、入浴者Ｍは、例えば、３０〜４０分の間そのままにしている。この間、敷石層１１の各石板１２が加熱（例えば、４０〜４２度）され、蒸発皿樋１６の中の水が蒸発して高い湿度（例えば、７０％）が保たれる。そこで、入浴者Ｍは、セリサイト鉱石粉末を添加処理した入浴衣Ｂ１を着ているので、身体の周囲全体を入浴衣Ｂ１で覆われることになり遠赤外線の効果の効き目が強く、極めて短時間、例えば入浴衣Ｂ１を着ない場合は発汗に２０〜３０分掛かっていたが、入浴衣Ｂ１を着た場合は１０〜１５分で発汗した。しかも、身体が普段より温まりほかほかした感じが得られた。
【００４６】
このように、本発明は、遠赤外線を発生する鉱石粉末を添加処理した入浴衣Ｂ１を着てそのまま、温石浴装置Ａに入るようにしたので、裸の身体表面に直に触れて遠赤外線を多く受け、短い時間であっても身体の芯から温まる。しかも、入浴衣Ｂ１を着るのみで済み、例えば温湯風呂のようにその湯の量など関係なく前記効能が得られ、入浴剤のように面倒な手間や無駄がなく使い勝手が良いという効果がある。また、他の入浴衣も同じであるが前記入浴衣Ｂ１は、一応、使い捨てとしても良い。不織布の場合も、安くて洗濯できないものは使い捨てとしても良い。反面、材質を強度的に強くして再使用できるようにすれば、効能が低下することもなく経済的である。更に、湯に浸かる風呂に限らず裸のまま腰掛けて入浴できる場合にも使用でき利用範囲が広い。
【００４７】
前記セリサイト鉱石と共にマイナスイオンを発するトルマリン鉱石、ラドンを発する天然ラジウム鉱石を添加するようにすれば、前者からは清涼な爽快感が得られる。また、後者からは皮膚の細胞を刺激し体内活性が図られ、疲労が回復しリラクゼーションが得られるばかりか、がん抑制作用・老化防止・糖尿病の発生抑制作用が得られるホルミス効果も期待できる。更に、酸化チタン粉末を添加すれば、光を受けることにより消臭、殺菌、抗菌等の機能が得られる。
【００４８】
前記入浴衣Ｂ１のように、長方形状をなし着用できる大きさを有するシート１からなり、そのほぼ中央に頭ｍを挿通する透孔２を開設すると共に該透孔２と前記シート１の短手方向の一端縁１ｂとの間に両端が開放しかつ両側縁が係脱自在な連結手段４，４により連結される切離し部３を設ける。また、前記シート１の長手方向の少なくとも一端縁１ａにその両外側寄りに位置して該端縁１ａで開放されかつ長手方向に沿って延びる所定長さの切り込み５を設け、前記各切り込み５の外側に胴の周囲に巻き付けて結ぶ帯び片部６を設ける構成とすれば、結果的に一枚のシートを打ち抜き又は裁断するのみで入浴衣Ｂ１がほとんど成形でき、製作が簡単であって製作コストも低廉になし得る。
【００４９】
ちなみに、一人の入浴者Ｍの入浴が済むと、温石浴装置本体Ａ１内の掃除をすることになるが、この場合、上・下カバー部材２３ａ，２３ｂを共に外し、敷石層１１の上面に水を流して掃除する。これら水は各切欠き１２ａ及び各貫通孔２０ａ，２０ｂを介して集水枡１８、更には、水抜き孔２２を介してその下側の受皿２１に貯留される。また、各蒸発皿樋１６内の水は排水管３３を介して集水枡１８に排出され、最終的には受皿２１に貯留される。受皿２１内に貯留された水は、該受皿２１を基台１０の一側から引出して排出する。このように、加熱手段として水槽を使用しないことから、衛生的であるばかりか大掛かりな貯水・排水構造が不要になって掃除などのメンテナンスが容易である。
【００５０】
本発明にあっては、入浴衣Ｂ１を着用して温石浴装置Ａ内に入浴した場合を説明したが、サウナ風呂でも良く、更に、一般家庭の温湯風呂または公衆浴場、全国各地の温泉地の浴場などの湯に浸かる場合でも良い。公衆浴場や温泉地の浴場では、特に女性は肌を露出せずに済み羞恥心が薄らぐことから、混浴風呂にも安心して入浴可能となる。また、入浴衣Ｂ１乃至Ｂ４は不透明な素材により成形されるが、全体に半透明であって胸や局所などに当る部分に透けないような不透明なシートを貼り合せるようにしても良い。
【図面の簡単な説明】
【００５１】
【図１】本発明に係る入浴衣の展開平面図。
【図２】同使用状態図。
【図３】他の実施の形態に係る入浴衣の展開平面図。
【図４】他の実施の形態に係る入浴衣の展開平面図。
【図５】他の実施の形態に係る入浴衣の斜視図。
【図６】同使用状態図。
【図７】温石浴装置の斜視図。
【図８】同分解斜視図。
【図９】同縦断側面図。
【図１０】同横断面図。
【図１１】同使用状態を示す斜視図。
【符号の説明】
【００５２】
１                    シート
１−１                シート
１−２                シート
１ａ                  端縁
１ｂ                  端縁
２                    透孔
３                    切離し部
３ａ                  切離し部
４                    連結手段（紐）
４ａ                  連結手段（雌型貼り合せファスナー）
４ｂ                  連結手段（雄型貼り合せファスナー）
５                    切り込み
６                    帯び片部
８                    帯び片
９ａ                  首覆い部
９ｂ                  肩覆い部
Ｂ１〜Ｂ４            入浴衣
【図１】
2006322094.tif 000003
【図２】
2006322094.tif 000004
【図３】
2006322094.tif 000005
【図４】
2006322094.tif 000006
【図５】
2006322094.tif 000007
【図６】
2006322094.tif 000008
【図７】
2006322094.tif 000009
【図８】
2006322094.tif 000010
【図９】
2006322094.tif 000011
【図１０】
2006322094.tif 000012
【図１１】
2006322094.tif 000013